(57)【要約】【課題】  原稿の画像が形成された複数の印刷用紙をステープルで閉じて、印刷物をグループ化するステープル機能を有する画像形成装置及び画像形成方法を提供する。【解決手段】  原稿の画像が形成された複数の印刷用紙をステープルで閉じて、印刷物をグループ化するステープル手段を有する画像形成装置において、ステープル手段が複数の異なるステープルを有し、画像形成動作が開始される前に予め印刷物をグループ化するステープルを決定しておくことにより、排出トレイにおける各印刷物の識別の容易化、該印刷物からの情報漏洩の防止、及び印刷物の識別の容易化に伴う作業効率の向上を図ることができる。【選択図】  図１
2006240263.tif 000002
【特許請求の範囲】
【請求項１】
印刷用紙を綴じるステープルを選択する選択手段と、
前記選択手段によって選択されたステープルによって印刷用紙を綴じるステープル手段とを有することを特徴とする画像形成装置。
【請求項２】
外部機器から印刷する原稿の画像データを受信する受信手段を有し、
前記受信手段が受信した前記画像データに前記ステープルを識別するステープル識別情報が付加されているとき、前記ステープル手段は前記ステープル識別情報に対応するステープルにより印刷用紙を綴じることを特徴とする請求項１記載の画像形成装置。
【請求項３】
前記受信手段が複数の原稿からなる画像データを受信し、かつ原稿毎に前記ステープル識別情報が付加されているとき、前記ステープル手段は前記ステープル識別情報に対応するステープルにより各原稿の印刷用紙を綴じることを特徴とする請求項１又は２記載の画像形成装置。
【請求項４】
ユーザを識別するユーザ識別情報と前記ステープル識別情報を関連づけて記憶する記憶手段と、
前記ユーザ識別情報を入力するユーザ識別情報入力手段とを有し、
前記ユーザ識別情報入力手段によって前記ユーザ識別情報が入力されたとき、前記ユーザ識別情報に対応する前記ステープル識別情報を読み出し、
前記ステープル手段は、読み出された前記ステープル識別情報に対応するステープルにより印刷用紙を綴じることを特徴とする請求項１から３のいずれか1項記載の画像形成装置。
【請求項５】
印刷する原稿の枚数を入力する原稿枚数入力手段を有し、
前記原稿枚数入力手段によって原稿の枚数が入力されたとき、前記ステープル手段は入力された原稿の枚数に応じたステープルを選択し、該ステープルにより印刷用紙を綴じることを特徴とする請求項１から４のいずれか1項記載の画像形成装置。
【請求項６】
前記ステープル手段が色の異なるステープルを有することを特徴とする請求項１から５のいずれか1項記載の画像形成装置。
【請求項７】
前記ステープル手段がサイズの異なるステープルを有することを特徴とする請求項１から６のいずれか1項記載の画像形成装置。
【請求項８】
印刷用紙を綴じるステープルを選択する選択工程と、
前記選択工程によって選択されたステープルによって印刷用紙を綴じるステープル工程とを有することを特徴とする画像形成方法。
【発明の詳細な説明】
【技術分野】
【０００１】
本発明は、原稿の画像が形成された複数の印刷用紙をステープルで閉じて、印刷物をグループ化するステープル機能を有する画像形成装置及び画像形成方法に関する。
【背景技術】
【０００２】
近年、プリンタ、コピー、ファクシミリ、及びスキャナなどの各装置の機能を１つの筐体内に収納した画像形成装置（以下、複合機とする）が知られるようになった。複合機は、１つの筐体内に表示部、印刷部、及び撮影部などを設けると共に、プリンタ、コピー、ファクシミリ、及びスキャナにそれぞれ対応する４種類のアプリケーションを設け、そのアプリケーションを切り換えることにより、プリンタ、コピー、ファクシミリ、及びスキャナとして動作させるものである。
【０００３】
このような複合機は、原稿の画像が形成された印刷用紙をステープルで閉じたり、表紙をつけたり、又はパンチ穴を開けるなどにより、印刷物をグループ化することができる。従来、印刷用紙をグループ化する作業は、１つのジョブに対して行われる作業である。この１つのジョブとして行われる印刷として、片面印刷、両面印刷、サイズが異なる原稿が混在する混在印刷が挙げられる。
【０００４】
特許文献１では、画像形成装置等において、クリップや使用済みステープル針を１つ又は複数の開口部に置くことで当該クリップや使用済みステープル針が収納部に落下して蓄積される構造とすることにより、従来のように装置の上部にそのまま露出して置かれることがなくなり、操作時にステープル針が散乱することを回避でき、かつ確実に回収することができる画像形成装置等のクリップトレイが提案されている。
【０００５】
特許文献２では、複数台の画像形成装置で分担した印刷をおこなっている最中に不具合が発生した場合、ユーザに対しその設定や対処を選択させることにより、例えば、「連結動作」モード実行中に子機にて後処理ユニットの故障が発生した場合に、親機にて「連結動作」モードを解除し、引き続き後処理ユニットの使用が可能な親機のみで所望の出力結果を得ることができる画像形成装置および画像形成システムが提案されている。
【特許文献１】特開２００４−９９２８４号公報
【特許文献２】特開２００４−２８２６０３号公報
【発明の開示】
【発明が解決しようとする課題】
【０００６】
しかし、上記の発明は以下の問題を有している。
【０００７】
従来の画像形成装置は、原稿の画像が形成された印刷用紙をステープルで閉じることにより、印刷物をグループ化するが、複数の印刷物が同時に出力され、それぞれ別個にステープルで閉じられている場合、出力された各印刷物を排出トレイから取り出す際、ユーザは印刷物の内容を確認し、自身の印刷物であることを確認しなければならなかった。
【０００８】
また、異なるユーザが同時に印刷物を出力した場合、ユーザはその内容を確認した上で排出トレイから自身の印刷物を取り出すため、印刷物の内容が第三者に漏洩することが考えられる。また、印刷物の内容の確認は作業効率の低下を招来する。
【０００９】
そこで、本発明は、原稿の画像が形成された複数の印刷用紙をステープルで閉じて、印刷物をグループ化するステープル手段を有する画像形成装置において、ステープル手段が複数の異なるステープルを有し、画像形成動作が開始される前に予め印刷物をグループ化するステープルを決定しておくことにより、排出トレイにおいて容易に各印刷物を識別することができる画像形成装置及び画像形成方法を提案することを目的としている。
【課題を解決するための手段】
【００１０】
請求項１記載の画像形成装置は、印刷用紙を綴じるステープルを選択する選択手段と、前記選択手段によって選択されたステープルによって印刷用紙を綴じるステープル手段とを有することを特徴とする。
【００１１】
請求項２記載の発明は、請求項１記載の画像形成装置において、外部機器から印刷する原稿の画像データを受信する受信手段を有し、前記受信手段が受信した前記画像データに前記ステープルを識別するステープル識別情報が付加されているとき、前記ステープル手段は前記ステープル識別情報に対応するステープルにより印刷用紙を綴じることを特徴とする。
【００１２】
請求項３記載の発明は、請求項１又は２記載の画像形成装置において、前記受信手段が複数の原稿からなる画像データを受信し、かつ原稿毎に前記ステープル識別情報が付加されているとき、前記ステープル手段は前記ステープル識別情報に対応するステープルにより各原稿の印刷用紙を綴じることを特徴とする。
【００１３】
請求項４記載の発明は、請求項１から３のいずれか１項記載の画像形成装置において、ユーザを識別するユーザ識別情報と前記ステープル識別情報を関連づけて記憶する記憶手段と、前記ユーザ識別情報を入力するユーザ識別情報入力手段とを有し、前記ユーザ識別情報入力手段によって前記ユーザ識別情報が入力されたとき、前記ユーザ識別情報に対応する前記ステープル識別情報を読み出し、前記ステープル手段は、読み出された前記ステープル識別情報に対応するステープルにより印刷用紙を綴じることを特徴とする。
【００１４】
請求項５記載の発明は、請求項１から４のいずれか１項記載の画像形成装置において、印刷する原稿の枚数を入力する原稿枚数入力手段を有し、前記原稿枚数入力手段によって原稿の枚数が入力されたとき、前記ステープル手段は入力された原稿の枚数に応じたステープルを選択し、該ステープルにより印刷用紙を綴じることを特徴とする。
【００１５】
請求項６記載の発明は、請求項１から５のいずれか１項記載の画像形成装置において、前記ステープル手段が色の異なるステープルを有することを特徴とする。
【００１６】
請求項７記載の発明は、請求項１から６のいずれか１項記載の画像形成装置において、前記ステープル手段がサイズの異なるステープルを有することを特徴とする。
【００１７】
請求項８記載の画像形成方法は、印刷用紙を綴じるステープルを選択する選択工程と、前記選択工程によって選択されたステープルによって印刷用紙を綴じるステープル工程とを有することを特徴とする。
【発明の効果】
【００１８】
本発明は、原稿の画像が形成された複数の印刷用紙をステープルで閉じて、印刷物をグループ化するステープル手段を有する画像形成装置において、ステープル手段が複数の異なるステープルを有し、画像形成動作が開始される前に予め印刷物をグループ化するステープルを決定しておくことにより、排出トレイにおける各印刷物の識別の容易化、該印刷物からの情報漏洩の防止、及び印刷物の識別の容易化に伴う作業効率の向上を図ることができる。
【発明を実施するための最良の形態】
【００１９】
以下、本発明の一実施形態に係る画像形成装置の構成及び動作について説明する。
【００２０】
まず、図１を用い本実施形態に係る画像形成装置の構成について説明する。
【００２１】
本実施形態に係る画像形成装置は、自動原稿送り装置（以下、ＡＤＦとする）１、原稿台２、給送ローラ３、給送ベルト４、排送ローラ５、コンタクトガラス６、原稿セット検知７、第１トレイ８、第２トレイ９、第３トレイ１０、第１給紙ユニット１１、第２給紙ユニット１２、第３給紙ユニット１３、縦搬送ユニット１４、感光体１５、搬送ベルト１６、定着ユニット１７、排紙ユニット１８、排紙トレイ１９、読み取りユニット５０、露光ランプ５１、第１ミラー５２、レンズ５３、ＣＣＤイメージセンサ５４、第２ミラー５５、第３ミラー５６、書き込みユニット５７、レーザ出力ユニット５８、結像レンズ５９、ミラー６０、両面搬送ユニット１１１、反転ユニット１１２、両面入紙搬送路１１３、反転排紙搬送路１１４、及びステープル部１１５を有して構成される。
【００２２】
本実施形態に係る画像形成装置の具体的な動作について説明する。
【００２３】
ＡＤＦ１の原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。なお、本実施形態に係る画像形成装置は、一枚の原稿を給送完了により原稿枚数をカウントアップするカウント機能を有している。給送された原稿は、コンタクトガラス６上に搬送され、読み取りユニット５０によって原稿の画像データが読み取られる。読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００２４】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送され、感光体１５上のトナー像が転写される。その後、定着ユニット１７にて画像を定着させ、ステープル部１１５を経て排紙ユニット１８により排紙トレイ１９に排出される。
【００２５】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は、再度縦搬送ユニット１４に送られて裏面に画像を印刷された後に排紙される。また、転写紙を反転して排出する場合、上記の反転ユニット１１２でスイッチバック反転した用紙を両面ユニットに送らずに反転排紙搬送路１１４を経て排紙する。
【００２６】
感光体１５、搬送ベルト１６、定着ユニット１７、排紙ユニット１８、及び現像ユニット２７は、メインモータ２５によって駆動される。各給紙装置１１〜１３は、メインモータ２５の駆動を各々給紙クラッチ２２〜２４によって伝達駆動される。縦搬送ユニット１４はメインモータ２５の駆動を中間クラッチ２１によって伝達駆動される。
【００２７】
次に、原稿読み取りから、画像の書き込みまでの動作について説明する。
【００２８】
読み取りユニット５０は、原稿を載置するコンタクトガラス６と光学走査系で構成されている。光学走査系は、露光ランプ５１、第１ミラー５２、レンズ５３、ＣＣＤイメージセンサ５４等々で構成される。露光ランプ５１及び第１ミラー５２は、第１キャリッジ上に固定され、第２ミラー５５及び第３ミラー５６は第２キャリッジ上に固定されている。原稿像を読み取るときは、光路長が変わらないように、第１キャリッジと第２キャリッジとが２対１の相対速度で機械的に操作される。この光学走査系は、スキャナ駆動モータにて駆動される。原稿画像は、ＣＣＤイメージセンサ５４によって読み取られ、電気信号に変換されて処理される。
【００２９】
書き込みユニット５７は、レーザ出力ユニット５８、結像レンズ５９、及びミラー６０で構成される。レーザ出力ユニット５８の内部には、レーザ光源であるレーザダイオード及びモータによって高速で定速回転する多角形ミラー（ポリゴンミラー）が備わっている。
【００３０】
書き込みユニット５７から出力されるレーザ光が画像作像系の感光体１５に照射される。なお、感光体１５の一端近傍のレーザビームを照射される位置に、主走査同期信号を発生するビームセンサが配置されている。
【００３１】
次に、本実施形態に係る画像形成装置の操作部の構成について図２を用いて説明する。
【００３２】
操作部３０は、液晶タッチパネル３１、テンキー３２、クリア／ストップキー３３、プリントキー３４、及びモードクリアキー３５を有して構成される。液晶タッチパネル３１には、機能キー３７、部数、及び画像形成装置の状態を示すメッセージなどが表示される。
【００３３】
図３は、操作部３０の液晶タッチパネル３１の表示例である。
【００３４】
オペレータが液晶タッチパネル３１に表示されたキーにタッチすることにより、選択された機能を示すキーが黒く反転する。また、機能の詳細を指定する場合（例えば、変倍であれは変倍値等）は、キーにタッチすることにより、詳細機能の設定画面が表示される。このように、液晶タッチパネルは、ドット表示器を使用している為、その時の最適な表示をグラフィカルに行うことが可能である。
【００３５】
次に、本実施形態に係る画像形成装置のメインコントローラを中心とした制御装置の構成について図４を用いて説明する。なお、メインコントローラで実行される処理は、画像形成プログラムとして実施することもできる。
【００３６】
メインコントローラ２０は、画像形成装置全体を制御する。メインコントローラ２０には、オペレータに対する表示とオペレータからの機能設定入力制御とを行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。
【００３７】
また、メインコントローラ２０には、複数の画像形成装置に接続して装置の構成及び機能情報、動作制御に関する情報の送受信を行う連結Ｉ／Ｆ４８が接続されている。メインコントローラ２０は、連結Ｉ／Ｆ４８を介して接続された画像形成装置の情報を獲得し、動作を設定することにより連結動作の制御を行う、もしくは接続された他の画像形成装置からの要求を獲得し自機の動作を制御する。
【００３８】
各分散制御装置とメインコントローラ２０は必要に応じて機械の状態、動作司令のやりとりを行う。また、紙搬送等に必要なメインモータ２５、各種クラッチ２１〜２４も接続されている。
【００３９】
次に、画象処理ユニット（ＩＰＵ）４９の構成及び動作について図５を用いて説明する。
【００４０】
画像処理ユニット４９は、ＣＣＤ５４、Ａ／Ｄコンバータ６１、シェーディング補正部６２、画像処理部６３、変倍処理部７２、セレクタ６４、書き込みγ補正部７１、書き込みユニット５７、ＣＰＵ６８、ＲＯＭ６９、ＲＡＭ７０、メモリコントローラ６５、色変換処理部１００、Ｉ／Ｏポート６７、画像メモリ６６、連結Ｉ／Ｆ４８、画像データ７３、及びステープル部１１５を有して構成される。
【００４１】
まず、露光ランプ５１から照射された光の反射をＣＣＤイメージセンサ５４が光電変換し、Ａ／Ｄコンバータ６１にてデジタル信号に変換する。デジタル信号に変換された画像信号は、シェーディング補正部６２にてシェーディング補正がなされた後、画像処理部６３にてＭＴＦ補正、γ補正等がなされる。変倍部７２を経由した画像信号は、変倍率に応じて拡大縮小され、セレクタ６４に転送される。セレクタ６４では、画像信号の送り先を、書き込みγ補正部７１または、画像メモリコントローラ６５への切り替えが行われる。書き込みγ補正ユニット７１を経由した画像信号は、作像条件に合わせて書き込みγが補正され、書き込みユニット５７及びステープル部１１５に送られる。
【００４２】
画像メモリコントローラ６５とセレクタ６４間は、双方向に画像信号が入出力可能な構成となっている。また、画像メモリコントローラ６５等への設定や、読み取り部５０書き込み部５７及びステープル部１１５の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００４３】
連結Ｉ／Ｆ４８は、画像情報の送受信のため、メモリコントローラのデータバスに接続され、データの入出力が可能である。画像形成装置間のデータ転送速度に応じて、画像情報は画像メモリ６６を介して転送される。すなわち、画像出力時にはメモリコントローラ６５から画素メモリ６６に画像データを格納した後、画像形成装置間のデータ転送速度に応じて順次画像メモリ６６からデータを読み出して、連結Ｉ／Ｆ４８にデータを転送する。画像出力時には連結Ｉ／Ｆ４８より転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００４４】
原稿画像で画像メモリコントローラ６５へ送られた画像は、画像メモリコントローラ内にある画像圧縮装置によって画像データを圧縮した後、画像メモリ６６に送られる。画像圧縮するのは、最大画像サイズ分の２５６階調のデータをそのまま画像メモリ６６に書き込むことも可能だが、１枚の原稿画像で画像メモリを大変多く使用する。そこで、画像圧縮を行うことにより、限られた画像メモリ６６を有効に利用できる。また、画像圧縮することにより、一度に多くの原稿画像データを記憶することが出来るため、ソート機能として、貯えられた原稿画像イメージデータをページ順に出力できる。この場合、画像を出力する際に画像メモリ６６のデータをメモリコントローラ６５内の伸長装置で順次伸長しながら出力する。本機能は、一般に「電子ソート」と呼ばれている。
【００４５】
また、画像メモリの機能を利用し、複数枚の原稿画像を画像メモリ６６の転写紙一枚分のエリアに分割したエリアに順次読み込むこともできる。例えば、４枚の原稿画像を画像メモリ６６の転写紙一枚分の４等分されたエリアに順次書き込むことにより、４枚の原稿が一枚の転写紙イメージに合成され集約された出力を得ることができる。本機能は、一般に「集約コピー」と呼ばれている。
【００４６】
画像メモリ６６の画像は、ＣＰＵ６８からアクセス可能な構成となっている。このため画像メモリ６６の内容を加工することが可能である。例えば、画像の間引き処理、画像の切り出し処理等が行える。加工には、メモリコントローラ６５のレジスタにデータを書き込むことにより、画像メモリ６６の処理を行うことができる。加工された画像は、再度、画像メモリ６６に保持される。
【００４７】
また、画像メモリ６６の内容をＣＰＵ６８が読み出し、Ｉ／Ｏポート６７を経て、画像データ７３として操作部３０に転送することができる。一般に、操作部３０の画面表示解像度は低い為、画像メモリ６６の原画像は画像間引きが行われ操作部３０に送られる。画像メモリ６６は、多くの画像データを収納するため、ハードディスクが用いることもできる。ハードディスクを用いることにより、外部電源が不用で永久的に画像を保持できる。なお、複このハードディスクを用いるのが一般的である。数の定型の原稿（フォーマット原稿）をスキャナで読み込み保持するためには、このハードディスクを用いるのが一般的である。
【００４８】
次に、本実施形態に係る画像形成装置のステープル部１１５の具体的な構成及び動作について説明する。
【００４９】
図６は、ステープル部１１５の概略図である。ステープル部１１５は、赤、青、緑、及び銀のステープル針を有し、綴じる原稿束の厚さに応じて各色について２サイズを選択することができる。なお、本実施形態に係るステープル部１１５においては、赤、青、緑、及び銀について２サイズのステープル針を有する構成となっているが、これに限定されるものではない。
【００５０】
図７は、コピー開始前に所望のステープル針を選択し、画像形成動作を実行する際の処理を示すフローチャートである。
【００５１】
まず、コピーを実行するオペレータが液晶タッチパネル３１のステープルキーに触れると（ステップＳ７０１）、液晶タッチパネル３１に選択可能なステープル針が表示される（ステップＳ７０２）。そして、液晶タッチパネル３１に表示された選択可能なステープル針から所望のステープル針を選択すると（ステップＳ７０２／ＹＥＳ）、該ステープル針により原稿束を綴じることが決定する（ステップＳ７０３）。原稿束を綴じるステープル針が決定されると（ステップＳ７０３）、コピー動作が開始される（ステップＳ７０４）。そして、コピー動作が終了し、画像が形成された印刷用紙がステープル部１１５に搬送されると、ステープル部１１５は選択されたステープル針により該印刷物を綴じる（ステップＳ７０５）。
【００５２】
一方、液晶タッチパネル３１に表示された選択可能なステープル針から所望のステープル針が選択されなかった場合は（ステップＳ７０２／ＮＯ）、デフォルトのステープル針により原稿束を綴じることが決定する（ステップＳ７０６）。そして、コピー動作が開始され（ステップＳ７０４）、コピー動作が終了するとステープル部１１５に搬送された印刷用紙はデフォルトのステープル針により綴じられる（ステップＳ７０５）。
【００５３】
図７に示す処理によれば、オペレータは好みのステープル針で印刷用紙を綴じることができるため、同時に複数の印刷用紙が排出トレイ１９に排出された場合に、誤って他人の印刷物を取り出すことを防止することができる。
【００５４】
次に、連結Ｉ／Ｆ４８を通じて外部機器から出力する原稿の画像データを受信した場合の処理について図８を用いて説明する。
【００５５】
まず、連結Ｉ／Ｆ４８が外部機器から出力を希望する原稿の画像データを受信すると（ステップＳ８０１）、該画像データに使用するステープル針を識別する情報（以下、ステープル識別情報とする）が付加されているか否かを判断する（ステップＳ８０２）。画像データにステープル識別情報が付加されている場合は（ステップＳ８０２／ＹＥＳ）、該ステープル針により原稿束を綴じることが決定する（ステップＳ８０３）。原稿束を綴じるステープル針が決定されると（ステップＳ８０３）、コピー動作が開始される（ステップＳ８０４）。そして、コピー動作が終了し、画像が形成された印刷用紙がステープル部１１５に搬送されると、ステープル部１１５は選択されたステープル針により該印刷物を綴じる（ステップＳ８０５）。
【００５６】
一方、画像データにステープル識別情報が付加されていなかった場合は（ステップＳ８０２／ＮＯ）、デフォルトのステープル針により原稿束を綴じることが決定する（ステップＳ８０６）。そして、コピー動作が開始され（ステップＳ８０４）、コピー動作が終了するとステープル部１１５に搬送された印刷用紙はデフォルトのステープル針により綴じられる（ステップＳ８０５）。
【００５７】
図８に示す処理によれば、オペレータは所望のステープル針で印刷用紙を綴じることができるため、同時に複数の印刷用紙が排出トレイ１９に排出された場合に、誤って他人の印刷物を取り出すことを防止することができる。さらに、オペレータが操作する機器から離れた場所にある画像形成装置から原稿を出力する場合でも、ステープルにより印刷物を出力したオペレータを識別することができるため、第三者による取り出しを防止できる。
【００５８】
次に、外部機器から複数の原稿を受信し、原稿ごとに異なるステープル針により綴じる処理について図９を用いて説明する。
【００５９】
まず、連結Ｉ／Ｆ４８が外部機器から出力を希望する複数の原稿からなる画像データを受信すると（ステップＳ９０１）、各原稿のコピー動作を開始する（ステップＳ９０２）。そして、原稿のコピー動作が終了すると、各原稿のステープル識別情報が付加されているか否かを判断する（ステップＳ９０３）。各原稿のステープル識別情報が付加されている場合は（ステップＳ９０３／ＹＥＳ）、ステープル識別情報に対応するステープル針により原稿を綴じることが決定される（ステップＳ９０４）。原稿を綴じるステープル針が決定されると（ステップＳ９０４）、ステープル部１１５は該ステープル針による綴り込みを実行する（ステップＳ９０５）。
【００６０】
一方、ステープル識別情報が付加されていない原稿については（ステップＳ９０３／ＮＯ）、デフォルトのステープル針により原稿束を綴じることが決定される（ステップＳ９０６）。そして、ステープル部１１５に搬送され、デフォルトのステープル針により綴じられる（ステップＳ９０５）。
【００６１】
図９に示す処理によれば、オペレータは好みのステープル針で印刷用紙を綴じることができるため、同時に複数の印刷用紙が排出トレイ１９に排出された場合に、誤って他人の印刷物を取り出すことを防止することができる。また、オペレータが操作する機器から離れた場所にある画像形成装置から原稿を出力する場合でも、ステープルにより印刷物を出力したオペレータを識別することができるため、第三者による取り出しを防止できる。さらに、同時に出力する原稿毎にステープル針を選択することができるため、オペレータは原稿の内容を確認することなく、原稿を識別することができる。
【００６２】
次に、画像形成装置を使用するオペレータが予め使用するステープル針を個々に登録しておき、該ステープルにより原稿を綴じる処理について図１０を用いて説明する。
【００６３】
まず、画像形成装置を使用するオペレータは使用するステープル針のステープル識別情報をオペレータのＩＤと共にＲＡＭ７０に登録する（ステップＳ１００１）。そして、オペレータは原稿をコピーするとき、操作部３０からＩＤを入力し、ＲＡＭ７０に予め登録されているステープル識別情報の読み出しを要求する（ステップＳ１００２）。ステープル識別情報が読み出されると、コピー動作が開始される（ステップＳ１００３）。次に、ＲＡＭ７０に入力されたＩＤに対応するステープル識別情報が登録されているか否か確認される（ステップＳ１００４）。ここで、該ＩＤに対応するステープル識別情報が登録されている場合は（ステップＳ１００４／ＹＥＳ）、ステープル識別情報に対応するステープル針により原稿を綴じることが決定される（ステップＳ１００５）。原稿を綴じるステープル針が決定されると（ステップＳ１００５）、ステープル部１１５は該ステープル針による綴り込みを実行する（ステップＳ１００６）。
【００６４】
一方、入力されたＩＤに対応するステープル識別情報が登録されていなかった場合は（ステップＳ１００４／ＮＯ）、デフォルトのステープル針により原稿束を綴じることが決定される（ステップＳ１００７）。そして、原稿がステープル部１１５に搬送されると、デフォルトのステープル針により綴じられる（ステップＳ１００６）。
【００６５】
図１０に示す処理によれば、オペレータは好みのステープル針で印刷用紙を綴じることができるため、同時に複数の印刷用紙が排出トレイ１９に排出された場合に、誤って他人の印刷物を取り出すことを防止することができる。また、コピー動作の度にステープル針を選択する必要が無いため、画像形成装置の操作性の向上を図ることができる。
【００６６】
次に、コピーする原稿の枚数に応じてステープル針を選択する処理について図１１を用いて説明する。
【００６７】
まず、操作部３０を通じてコピーする原稿の枚数を入力する（ステップＳ１１０１）。コピーする原稿の枚数が入力されると（ステップＳ１１０１）、コピー動作が開始される（ステップＳ１１０２）。次に、入力された枚数が小さいサイズのステープル針により綴じ込むことができる枚数より多いか否かが判断される（ステップＳ１１０３）。ここで、入力された枚数が小さいサイズのステープル針により綴じ込める枚数よりも多い場合は（ステップＳ１１０３／ＹＥＳ）、大きいサイズのステープル針により綴じ込むことが決定される（ステップＳ１１０４）。そして、原稿がステープル部１１５に搬送されると、決定されたステープル針により綴じられる（ステップＳ１１０５）。
【００６８】
一方、入力された枚数が小さいサイズのステープル針により綴じ込める枚数以下の場合は（ステップＳ１１０３／ＮＯ）、デフォルトのステープル針により原稿束を綴じることが決定される（ステップＳ１１０６）。そして、原稿がステープル部１１５に搬送されると、デフォルトのステープル針により綴じられる（ステップＳ１１０５）。
【００６９】
図１１に示す処理によれば、原稿の枚数に応じたステープル針の選択が行われるため、原稿の枚数が多いことによる原稿の綴じ込みの失敗を防止することができる。
【図面の簡単な説明】
【００７０】
【図１】本実施形態に係る画像形成装置の概略図である。
【図２】本実施形態に係る画像形成装置の操作部の概略図である。
【図３】液晶タッチパネルの概略図である。
【図４】メインコントローラを中心としてシステム構成を示すブロック図である。
【図５】ＩＰＵのシステム構成を示すブロック図である。
【図６】本実施形態に係る画像形成装置のステープル部の概略図である。
【図７】原稿を綴じ込む場合のコピー動作を示すフローチャートである。
【図８】原稿を綴じ込む場合のコピー動作を示すフローチャートである。
【図９】原稿を綴じ込む場合のコピー動作を示すフローチャートである。
【図１０】原稿を綴じ込む場合のコピー動作を示すフローチャートである。
【図１１】原稿を綴じ込む場合のコピー動作を示すフローチャートである。
【符号の説明】
【００７１】
１    ＡＤＦ
２    原稿台
３    給送ローラ
４    給送ベルト
５    排送ローラ
６    コンタクトガラス
７    原稿セット検知
１５    感光体
１６    搬送ベルト
１７    定着ユニット
５０    読取ユニット
５１    露光ランプ
５４    ＣＣＤ
５７    書き込みユニット
５８    レーザ出力ユニット
５９    結像レンズ
【図１】
2006240263.tif 000003
【図２】
2006240263.tif 000004
【図３】
2006240263.tif 000005
【図４】
2006240263.tif 000006
【図５】
2006240263.tif 000007
【図６】
2006240263.tif 000008
【図７】
2006240263.tif 000009
【図８】
2006240263.tif 000010
【図９】
2006240263.tif 000011
【図１０】
2006240263.tif 000012
【図１１】
2006240263.tif 000013